(57)【要約】【課題】  地下埋設物の撤去において、周囲の舗装路面を円形に切断し、舗装路面及び地下埋設物を一体として引き上げることにより、短時間で地下埋設物を撤去し、交通開放までの時間を短縮する。【解決手段】地下埋設物１の周囲の舗装路面１０を円形に切断する。反力フレーム２を地下埋設物１の上に設置し、反力フレーム２にセンターホールジャッキ３を設置する。センターホールジャッキ３の先端に係合具４１を有するロッド４を挿通し、地下埋設物１の内側に係合させる。センターホールジャッキ３を作動して、地下埋設物周囲の地盤を剪断破壊させ、舗装路面１０及び地下埋設物１を一体として引き上げる。【選択図】  図１
2006257872.tif 000002
【特許請求の範囲】
【請求項１】
地下埋設物の周囲の舗装路面を円形に切断し、反力フレームを地下埋設物の上部に設置し、該反力フレームを利用して、円形に切断した舗装路面と地下埋設物を一体的に引き上げることを特徴とする地下埋設物の撤去方法。
【請求項２】
地下埋設物の引き上げは前記反力フレームに設置したセンターホールジャッキで行うことを特徴とする請求項１記載の地下埋設物の撤去方法。
【請求項３】
前記センターホールジャッキに、先端に係合具を有するロッドを挿通し、地下埋設物に前記係合具を係合させて引き上げを行うことを特徴とする請求項２記載の地下埋設物の撤去方法。
【請求項４】
前記係合具は油圧シリンダで伸縮することにより、地下埋設物に係合することを特徴とする請求項３記載の地下埋設物の撤去方法。
【請求項５】
反力フレームと、該反力フレームの中央に設置されたセンターホールジャッキと、該センターホールジャッキに挿入されるロッドと、該ロッドの先端に設けられる係合具とを備え、
舗装路面下に埋設された地下埋設物に前記係合具を係合させて、前記センターホールジャッキが前記ロッドを引き上げることにより、地下埋設物とその周囲の舗装路面を一体的に引き上げることを特徴とする地下埋設物の引き上げ装置。
【請求項６】
前記係合具は伸縮自在な油圧シリンダであることを特徴とする請求項５記載の地下埋設物の引き上げ装置。
【発明の詳細な説明】
【技術分野】
【０００１】
本発明は、埋設筐体やマンホールなどの地下埋設物を迅速に短時間で撤去する方法に関する。
【背景技術】
【０００２】
道路下等に埋設され、年月を経たマンホール、検査用埋設筐体は、通過車両の荷重や地下水の影響、また寒冷地においては凍上現象などで傷んでくる。さらには、舗装路面に発生した段差を解消するため、これらの地下埋設物を撤去交換する必要がある。
【０００３】
従来は、舗装路面をカッターで四角形に切断して撤去し、地下埋設物の周囲の土砂を掘削排土し、土留を施して地下埋設物を露出させて撤去し、新たなものと交換していた。この従来の施工法では、舗装路面の切断、周囲の地盤の掘削、さらには土留を必要とするため、地下埋設物の撤去交換工事が完了するまでに２〜３日間を必要とした。
【発明の開示】
【発明が解決しようとする課題】
【０００４】
従来の地下埋設物の撤去交換工法では、舗装路面の切断、土砂の排土、さらには地下埋設物の撤去と、通行を制限する期間が比較的長く、円滑な交通を妨げていた。
【０００５】
そこで、本発明は、この欠点を克服し、短時間で地下埋設物を撤去交換し、道路の占有期間をできるだけ短時間とすることを目標とするものである。
【課題を解決するための手段】
【０００６】
地下埋設物の周囲の舗装路面を円形に切断し、反力フレームを地下埋設物の上に設置し、反力フレームを利用して舗装路面及び地下埋設物を一体的に引き上げることにより、短時間で地下埋設物を撤去できるようにしたのである。より具体的には、地下埋設物の引き上げは反力フレームに設置したセンターホールジャッキを利用し、センターホールジャッキに挿通したロッドの先端に設けた係合具を地下埋設物に係合させ、舗装路面と地下埋設物を一体的に引き上げるのである。
【発明の効果】
【０００７】
舗装路面を円形カッターで切断し、反力フレームを利用して地下埋設物を引き上げる際に周囲地盤を剪断破壊して舗装路面、地下埋設物を撤去するので、施工がスピードアップされ、地下埋設物の撤去、交換作業が短時間で済み、道路を占有して交通を制限する時間を短縮できる。油圧シリンダを利用した係合具は、地下埋設物の内壁が垂直であっても、油圧シリンダの押圧力で地下埋設物の引き上げに必要な摩擦力を得ることができる。
【発明を実施するための最良の形態】
【０００８】
図１の実施例に基づいて撤去方法を説明する。この実施例は、ガス管などの鋼管Ｐに設けたアースＥの検査用筐体の撤去交換例である。筐体は、地中に設置したドーナツ型の基台Ｂに載せてある。
【０００９】
まず、筐体の中心位置を求め、円形カッター（図示しない）を地下埋設物１の中心位置に合わせて地下埋設物１の筐体を包み込むように舗装路面１０を切断する。
【００１０】
円形カッターで切断した舗装路面１０に地下埋設物１を撤去するための反力フレーム２をセットする。反力フレーム２の脚２１は舗装路面切断部の外側に設置する。反力フレーム２の脚２１は地下埋設物１を引き上げる力を路面に伝えるものであり、舗装路面１０に過大な圧力がかからないように、接地面積を考慮し、脚２１の断面積、本数を定める。反力フレーム２の中央部にはセンターホールジャッキ３を設置し固定する。
【００１１】
先端に地下埋設物１に係合する係合具４１を有するロッド４をセンターホールジャッキ３に挿入する。ロッド４は地下埋設物１の埋設深さに対応できるように接続して延長できるようにカップラー４３が設けてある。
【００１２】
ロッド４の先端には、地下埋設物１の内壁に突っ張って係合する係合具４１が設けてある。この係合具４１は、図２に示すようにロッド４の先端に回転可能に取り付けてあり、係合具４１の端部は内壁の傾斜にあうように下側が長辺であり、上辺が短辺の断面台形をしている。係合面４２には、ゴムなどの変形可能な材料が貼り付けてあり、係合面４２が内壁に密着するようになっている。係合具４１を回転させてロッド４と平行にし、地下埋設物１に挿入し、係合具４１を９０度回転させ、ロッド４に対して直交状態とする。
【００１３】
ロッド４に対して直交した係合具４１を少し上げ、係合具４１の両端部が地下埋設物１の内壁に当たるようにし、ロッド４を上下させてバランスよく地下埋設物１を引き上げられるように接触位置を調整する。
【００１４】
地下埋設物１に係合具４１の係合面４２が当たっていることを確認したならば、センターホールジャッキ３を作動させ、地下埋設物１を引き上げる。センターホールジャッキの引き上げ力はロッド４と係合具４１を介して、地下埋設物１の内壁に伝えられ、地下埋設物１は引き上げられる。舗装路面１０は円形カッターで切断されているので、舗装路面１０の切断下端と地下埋設物１の下端を結ぶ線を破断面として周囲地盤１１が剪断破壊され、舗装路面１０及び地下埋設物１が一体となって引き上げられ、地下埋設物１は、撤去される。
【００１５】
そして、さらに必要があれば、土留を施し、さらに下方を掘削して鋼管Ｐを露出させ、アースＥの確認などを行う。土留は鋼製ケーシング、コルゲートセルなどを土中に圧入しておこなう。
【００１６】
係合具４１のその他の構造としては、傘を逆にしたような放射状のアームをロッドの先端に開閉自在に設けたものや、油圧シリンダによって左右に伸縮するものがある。また、油圧シリンダを十字状に配列し、ロッドをユニバールジョイント等で連結し、挿入したロッドが地下埋設物の中心に一致しなくても、センターホールジャッキの引き上げ力がバランスよく地下埋設物に伝達されるようにする。油圧シリンダを利用した係合具は、図２の機械的な係合具と異なり、地下埋設物の内壁が垂直であっても、油圧シリンダの押圧力で地下埋設物の引き上げに必要な摩擦力を得ることができる。
【図面の簡単な説明】
【００１７】
【図１】地下埋設物撤去を説明する断面図。
【図２】係合具の一実施例の説明図。
【符号の説明】
【００１８】
１ 地下埋設物
１０ 舗装路面
１１ 周囲地盤
２ 反力フレーム
２１ 脚
３ センターホールジャッキ
４ ロッド
４１ 係合具
４３ カップラー
Ｂ 基台
Ｅ アース
Ｐ 鋼管
【図１】
2006257872.tif 000003
【図２】
2006257872.tif 000004